(57)【要約】【課題】泡状の液体を噴出できると共に、泡の付与範囲を調整することが可能なトリガー式の泡噴出ディスペンサを提供すること。【解決手段】本発明は、トリガー３と及びトリガー３を揺動させることにより液体を噴出可能なノズルベースを有する本体部１０と、ノズル穴を有し、ノズルベースに対応する位置にノズル穴が位置するように本体部１０に接続されたノズル２０と、ノズル穴から噴出される液体を衝突させるための周壁面３１ａ，３１ｂ及び周壁面３１ａ，３１ｂにより形成される筒状の通穴３２ａ，３２ｂを複数有する泡調整機構３０と、を備え、液体の噴出方向に対する周壁面３１ａ，３１ｂの長さがそれぞれ異なると共に、泡調整機構３０が回動可能となるようにノズル２０に取付けられ、回動により、複数の通穴３２ａ，３２ｂのうちの１つが選択的にノズル穴に対応する位置で切り替え可能となっているトリガー式の泡噴出ディスペンサ１００である。【選択図】図１
2007289870.tif 000002
【特許請求の範囲】
【請求項１】
トリガー及び前記トリガーを揺動させることにより液体を噴出可能なノズルベースを有する本体部と、
ノズル穴を有し、前記ノズルベースに対応する位置に前記ノズル穴が位置するように前記本体部に接続されたノズルと、
前記ノズル穴から噴出される前記液体を衝突させるための周壁面及び前記周壁面により形成される筒状の通穴を複数有する泡調整機構と、
を備え、
前記液体の噴出方向に対する前記周壁面の長さがそれぞれ異なると共に、
前記泡調整機構が回動可能となるように前記ノズルに取付けられ、前記回動により、複数の通穴のうちの１つが選択的に前記ノズル穴に対応する位置で切り替え可能となっていることを特徴とするトリガー式の泡噴出ディスペンサ。
【請求項２】
前記泡調整機構が２つの通穴を有することを特徴とする請求項１記載のトリガー式の泡噴出ディスペンサ。
【請求項３】
前記泡調整機構が前記複数の通穴が形成されたベース部と、
前記複数の通穴それぞれと等間隔となるように前記ベース部に立設された回動軸と、
を備え、
前記回動軸が前記ノズルに取付けられていることを特徴とする請求項１記載のトリガー式の泡噴出ディスペンサ。
【請求項４】
前記泡調整機構が、前記回動軸に対して前記通穴とは反対側に指当て部を有することを特徴とする請求項３記載のトリガー式の泡噴出ディスペンサ。
【請求項５】
前記トリガーを握った状態で人指し指が当接するような位置に前記指当て部が形成されていることを特徴とする請求項４記載のトリガー式の泡噴出ディスペンサ。
【請求項６】
前記ノズルが前記液体の噴出方向を軸として前記泡調整機構と一体となって回転可能となっており、前記回転に基づいて前記液体の噴出が開閉制御されることを特徴とする請求項１記載のトリガー式の泡噴出ディスペンサ。
【請求項７】
前記本体部がキャップ部を有し、
前記キャップ部が、前記液体が収容された容器に接続されることを特徴とする請求項１記載のトリガー式の泡噴出ディスペンサ。
【請求項８】
前記泡調整機構の切り替えによって、前記ノズルが共回りしないことを特徴とする請求項１記載のトリガー式の泡噴出ディスペンサ。
【発明の詳細な説明】
【技術分野】
【０００１】
本発明は、トリガー式の泡噴出ディスペンサに関する。
【背景技術】
【０００２】
容器内の液体を吸引し、ノズルから噴出させるディスペンサとして、ノズル部と一体となったピストンをトリガーを把持することにより押し下げてシリンダー内の液体をノズル部から噴射するトリガー式のディスペンサが知られている。
【０００３】
ところで、近年、液体が付与される対象物（以下「付与対象物」という。）に対する液体の定着性を向上させるために、液体を泡状にしてディスペンサのノズルから噴出させる取り組みがなされている。
【０００４】
例えば、液滴が噴射されるノズルの噴射孔の周囲に筒状に突出形成された泡化部材を備え、前記噴射孔から噴射された液滴を前記泡化部材の内壁に衝突させて泡化して噴射するようにした泡吐出容器が開示されている（例えば、特許文献１参照）。
この泡吐出容器によれば、液体を泡状でスプレーできるとともにスプレーパターンを広くすることができる。
【０００５】
また、ノズルカバーを開閉することにより、液体噴出孔を囲む正面視長楕円形になる筒状の第１発泡ノズル、若しくは、ノズルカバーに備えられたリブの内壁面と第１発泡ノズルの内壁面とによって形成される第２発泡ノズル、に切り替えることができる発泡ノズルヘッドが開示されている（例えば、特許文献２参照）。
【特許文献１】特開２００１−３３４１７８号公報
【特許文献２】特開２００４−２５５３２７号公報
【発明の開示】
【発明が解決しようとする課題】
【０００６】
しかしながら、上記特許文献１記載の泡吐出容器は、スプレーパターンを広くすることができるものの、付与対象物に対する泡の付与範囲を調整することができない。
すなわち、付与対象物が小さい、若しくは、付与範囲が狭い場合であっても、泡の付与範囲が広くなってしまい、付与範囲以外の部分が汚染する虞がある。
また、このことは液体の浪費にもつながる。
【０００７】
一方、上記特許文献２記載の発泡ノズルヘッドは、第１発泡ノズル及び第２発泡ノズルを有するため、泡の付与範囲が調整可能である。
ところが、第２発泡ノズルを用いる場合は、ノズルカバーを閉じて泡が噴出されるため、泡（液体）が付着したノズルカバーを開閉する際に手が汚れる欠点がある。
また、場合によってはノズルカバーを開閉する際にノズルカバーが破損する虞がある。
【０００８】
本発明は上記事情に鑑みてなされたものであり、泡状の液体を噴出できると共に、泡の付与範囲を調整することが可能なトリガー式の泡噴出ディスペンサを提供することを目的とする。
【課題を解決するための手段】
【０００９】
本発明者らは、上記課題を解決するため鋭意検討したところ、ノズルから噴出される液体を切り替え可能な所定の形状を有する泡調整機構に通すことによって、液体を泡状とできると共に、泡の塗布範囲を調整できることを見出し、本発明を完成するに至った。
【００１０】
すなわち、本発明のトリガー式の泡噴出ディスペンサは、トリガー及びトリガーを揺動させることにより液体を噴出可能なノズルベースを有する本体部と、ノズル穴を有し、ノズルベースに対応する位置にノズル穴が位置するように本体部に接続されたノズルと、ノズル穴から噴出される液体を衝突させるための周壁面及び周壁面により形成される筒状の通穴を複数有する泡調整機構と、を備え、液体の噴出方向に対する周壁面の長さがそれぞれ異なると共に、泡調整機構が回動可能となるようにノズルに取付けられ、回動により、複数の通穴のうちの１つが選択的にノズル穴に対応する位置で切り替え可能となっていることを特徴とする。
【００１１】
上記トリガー式の泡噴出ディスペンサにおいては、ノズル穴から噴出された液体が泡調整機能の通穴を通過することになる。
このとき、液体は周壁面に衝突されるため泡状となって噴出される。
このため、付与対象物に対する液体の定着性を向上させることができる。
【００１２】
上記トリガー式の泡噴出ディスペンサにおいては、泡調整機構が回動可能となるようにノズルに取付けられているため、泡調整機構を回動させることにより泡調整機構が有する複数の通穴のうちの１つを選択的にノズル穴に対応する位置に配置させることができる。
【００１３】
このとき、上記通穴を形成する周壁面の長さがそれぞれ異なるため、泡の付与範囲が選択される周壁面に応じて異なるものとなる。
すなわち、上記トリガー式の泡噴出ディスペンサにおいては、通穴を選択することにより所望の付与範囲に調整できる。
【００１４】
上記トリガー式の泡噴出ディスペンサにおいては、液体の噴出方向とは略直交する方向に泡調整機構を回動させるため、手を汚さずに泡の付与範囲を調整できる。
また、液体の浪費も低減される。さらに、開閉式ではないため、破損する虞も少ない。
【００１５】
これらのことより、本発明のトリガー式の泡噴出ディスペンサによれば、泡状の液体を噴出できると共に、泡の付与範囲を調整することができる。
【００１６】
上記トリガー式の泡噴出ディスペンサにおいて、泡調整機構が２つの通穴を有することが好ましい。
この場合、近距離の移動で切り替えが可能となる。
また、ディスペンサが嵩張らないため、取り扱いも容易となる。
【００１７】
上記トリガー式の泡噴出ディスペンサにおいて、泡調整機構が複数の通穴が形成されたベース部と、複数の通穴それぞれと等間隔となるようにベース部に立設された回動軸と、を備え、回動軸がノズルに取り付けられていることが好ましい。
この場合、上記回動軸を中心として泡調整機構が回動されることになるため、通穴の切り替えが容易となる。
また、泡調整機構は、回動軸で容易にノズルに取付けられる。
【００１８】
上記トリガー式の泡噴出ディスペンサにおいて、泡調整機構が、回動軸に対して通穴とは反対側に指当て部を有することが好ましい。
この場合、指当て部を指で回動させることにより容易に通穴の切り替えができる。
【００１９】
上記トリガー式の泡噴出ディスペンサにおいて、トリガーを握った状態で人指し指が当接するような位置に指当て部が形成されていることが好ましい。
この場合、トリガー式の泡噴出ディスペンサを持ちながら、指当て部を指で回動させることにより容易に泡調整機構を回動させることができる。
すなわち、片手でディスペンサを持ちながら、トリガーを引いて液体を噴出させることができると共に、通穴を切り替えることもできる。
【００２０】
上記トリガー式の泡噴出ディスペンサにおいて、ノズルが液体の噴出方向を軸として前記泡調整機構と一体となって回転可能となっており、回転に基づいて液体の噴出が開閉制御されることが好ましい。
この場合、ノズルを回転させることにより液体を噴出可能としたり、液体を噴出不能としたりすることができる。
このことから、不使用時には液体を噴出不能とし、使用時には液体を噴出可能とすればよい。
これにより、不使用時に誤って液体を噴出してしまうことが抑制される。
【００２１】
上記トリガー式の泡噴出ディスペンサにおいて、本体部がキャップ部を有し、キャップ部が、液体が収容された容器に接続されることが好ましい。
容器内の液体が無くなった場合、上記トリガー式の泡噴出ディスペンサのキャップ部で取り外し、液体を補充することができる。
また、上記トリガー式の泡噴出ディスペンサを別の容器に取り付けることも可能となる。
【００２２】
上記トリガー式の泡噴出ディスペンサにおいて、泡調整機構の切り替えによって、ノズルが共回りしないことが好ましい。
この場合、トリガー式の泡噴出ディスペンサの取り扱いが容易となる。
【発明の効果】
【００２３】
本発明のトリガー式の泡噴出ディスペンサによれば、泡状の液体を噴出できると共に、泡の付与範囲を調整することが可能となる。
【発明を実施するための最良の形態】
【００２４】
以下、必要に応じて図面を参照しつつ、本発明の好適な実施形態について詳細に説明する。
なお、図面中、同一要素には同一符号を付すこととし、重複する説明は省略する。
また、上下左右等の位置関係は、特に断らない限り、図面に示す位置関係に基づくものとする。
更に、図面の寸法比率は図示の比率に限られるものではない。
【００２５】
図１は、本発明のトリガー式の泡噴出ディスペンサの一実施形態を示した斜視図であり、図２は、本発明のトリガー式の泡噴出ディスペンサの一実施形態を示した正面図であり、図３は、本発明のトリガー式の泡噴出ディスペンサの一実施形態を示した側面図である。
【００２６】
図１又は図３に示すように、本実施形態に係るトリガー式の泡噴出ディスペンサ１００は、トリガー３及びトリガー３を揺動させることにより液体を噴出可能な図示しないノズルベースを有する本体部１０と、本体部１０に接続されたノズル２０と、噴出される液体を衝突させるための周壁面３１ａ，３１ｂ及び周壁面３１ａ，３１ｂにより形成される筒状の通穴３２ａ，３２ｂを有する泡調整機構３０とを備える。
なお、本体部１０のトリガー３と泡調整機構３０とは衝突しないような位置に設けられている。
【００２７】
また、図２に示すように、上記ノズル２０は液体が噴出されるノズル穴２１を有し、ノズルベースに対応する位置にノズル穴２１が位置するようになっている。
【００２８】
上記トリガー式の泡噴出ディスペンサ１００においては、泡調整機構３０が２つの通穴３２ａ，３２ｂを有している。このため、近距離の移動で切り替えが可能となる。
また、泡調整機構３０がコンパクトになっている。
【００２９】
上記トリガー式の泡噴出ディスペンサ１００においては、上記通穴３２ａ，３２ｂのうちの１つが選択的にノズル穴２１に対応する位置で切り替え可能となっている。
すなわち、上記泡調整機構３０を矢印Ａ方向に回動させることにより、通穴３２ａから通穴３２ｂに切り替えることが可能である。
【００３０】
上記トリガー式の泡噴出ディスペンサ１００においては、液体の噴出方向とは略直交する方向に泡調整機構３０を回動させるため、手を汚さずに泡の付与範囲を調整できる。
また、開閉式ではないため、破損する虞も少ない。
【００３１】
図４の（Ａ）は、本発明のトリガー式の泡噴出ディスペンサに用いられる泡調整機構の一実施形態を示した斜視図であり、図４の（Ｂ）は、本発明のトリガー式の泡噴出ディスペンサに用いられる泡調整機構の一実施形態を示した図である。
【００３２】
図４の（Ａ）に示すように本実施形態に係るトリガー式の泡噴出ディスペンサ１００に用いられる泡調整機構３０は、２つの通穴３２ａ，３２ｂが形成されたベース部３８と、２つの通穴３２ａ，３２ｂそれぞれと等間隔となるようにベース部３８に立設された回動軸３５と、回動軸３５に対して通穴３２ａ，３２ｂとは反対側に形成された指当て部３３とを備える。
【００３３】
ベース部３８に形成された通穴３２ａ，３２ｂは円形の断面を有しており、周壁面３１ａ，３１ｂにより筒状となっている。
また、通穴３２ａと通穴３２ｂとは、いずれも略同じ大きさ、形状の断面となっているが、周壁面３１ａと周壁面３１ｂとの液体の噴出方向（ベース部３８の厚み方向）に対する長さが異なっている。
すなわち、周壁面３１ｂの液体の噴出方向に対する長さは、周壁面３１ａの液体の噴出方向に対する長さよりも短くなっている。
【００３４】
ベース部３８の略中央に立設された回動軸３５は、ベース部３８に直交する方向に向かって突出するように形成されている。
かかる回動軸３５は、後述する被嵌合穴に取り付けられることにより、ノズル２０に接続され、この回動軸３５を中心として泡調整機構３０が回動可能となる。
【００３５】
上記指当て部３３は、上記回動軸３５と同様にベース部３８に立設されており、指が確実に当てられるようにベース部３８に直交する方向への十分な高さ、ベース部３８の長さ方向への十分な幅を有する。
このため、指当て部３３を指で回動させることにより容易に泡調整機構３０を回動させることができる。
【００３６】
なお、指当て部３３は係合部３４を有する。この係合部３４は泡調整機構３０の回動軸３５を後述するノズル２０の被勘合穴に嵌合させた場合にノズル２０の被係合部に接するようになる。
すなわち、泡調整機構３０を回動させ、上記通穴３２ａ，３２ｂのうちの１つが選択的にノズル穴２１に対応する位置に配置された場合に上記係合部３４と被係合部とが接するようになっている。
これにより、上記通穴３２ａ，３２ｂのうちの１つが選択的にノズル穴２１に対応する位置に確実に配置される。
【００３７】
かかる指当て部３３は、側面が凹凸状となっていることが好ましい。
この場合、指当て部３３に指を当てて泡調整機構３０を回動させる際に、指当て部３３側面が所定のグリップ力を発揮することができる。
【００３８】
なお、図５の（Ａ）に示すように、トリガー３を握った状態で人指し指Ｆが当接するような位置に指当て部３３が形成されていることが好ましい。
この場合、トリガー式の泡噴出ディスペンサ１００を持ちながら、指当て部３３を指Ｆで回動させることにより容易に泡調整機構３０を回動させることができる。
すなわち、片手でトリガー３を引いて液体を噴出させることができると共に、通穴３２ａ，３２ｂを切り替えることもできる。
【００３９】
また、泡調整機構３０の接続位置は適宜変更することが可能である。
すなわち、例えば、図５の（Ａ）及び（Ｂ）に示すように、ノズル２０に対して泡調整機構３０を左向きや右向きに接続することができる。
これにより、右利きの人のみならず左利きの人に対しても容易に泡調整機構３０を回動させることが可能となる。
【００４０】
図４の（Ｂ）に示すように本実施形態に係るトリガー式の泡噴出ディスペンサ１００に用いられる泡調整機構３０は、背面に例えば「広」「狭」の文字が記載されている。
すなわち、「広」は泡の付与範囲が広くなることに対応し、「狭」は泡の付与範囲が狭くなることに対応する。
したがって、泡調整機構３０を回動させて泡の付与範囲を調整する際には、上記「広」「狭」の文字にあわせて調整すれば、容易に付与範囲をコントロールすることができる。
【００４１】
図６は、本発明のトリガー式の泡噴出ディスペンサに用いられるノズルの一実施形態を示した正面図である。
図６に示すように、上記ノズル２０は、基体２７と、該基体２７の略中央に設けられ液体を噴出可能なノズル穴２１と、基体２７に設けられ上記回動軸３５を嵌合するための被嵌合穴２５と、ノズル穴２１の周囲に筒状に突出形成された突起部２２と、上述した係合部３４を係合するための被係合部２６とを備える。
また、かかる突起部２２はノズル穴２１に空気を流入するための切り欠き部２３を有する。
【００４２】
上述したように泡調整機構３０は上記被嵌合穴２５に取り付けられる。
このとき、泡調整機構３０の通穴３２ａ，３２ｂは上記突起部２２に当接される。
すなわち、本実施形態に係るトリガー式の泡噴出ディスペンサ１００は、ノズル穴２１の周囲に突起部２２と、周壁面３１ａ，３１ｂとが連続して筒状に突出形成した構造となる。
【００４３】
上記ノズル２０は液体の噴出方向を軸として前記泡調整機構と一体となって回転可能となっており、この回転に基づいて液体の噴出を開閉制御できるようになっている。
【００４４】
図７の（Ａ）及び（Ｂ）は、本発明のトリガー式の泡噴出ディスペンサにおいて、液体の噴出の開閉制御について説明するための説明図である。
図７の（Ａ）及び（Ｂ）に示すように、液体の開閉制御は、本体部１０のノズルベース１１と、ノズル２０との接続状態によって達成される。
【００４５】
上記ノズルベース１１には、ベース側溝１１ａが形成されており、一方、ノズル２０のノズルベース１１側にはノズル側溝２２ａが形成されている。
これらのベース側溝１１ａ及びノズル側溝２２ａはノズル２０の回転に基づいて、ベース側溝１１ａとノズル側溝２２ａとが接したり、隔離したりするようになっている。
【００４６】
また、ベース側溝１１ａ及びノズル側溝２２ａはいずれも液体が流通可能となっており、ベース側溝１１ａとノズル側溝２２ａとが接する位置においては、互いに液体が行き来できるようになっている。
【００４７】
すなわち、図７の（Ａ）に示すように、ノズル２０を回転させて、ベース側溝１１ａとノズル側溝２２ａとが接する位置とした場合、液体はノズルベース１１から、ベース側溝１１ａ及びノズル側溝２２ａを介してノズル２０のノズル穴２１に流通するようになる。
【００４８】
一方、図７の（Ｂ）に示すように、図７の（Ａ）に示す状態からノズル２０を回転させて、ベース側溝１１ａとノズル側溝２２ａとが接しない位置とした場合、液体はノズルベース１１から、ベース側溝１１ａに流通するものの、ノズル側溝２２ａには流通しないことになる。
【００４９】
したがって、ノズル２０を回転させることにより液体を噴出可能としたり、液体を噴出不能としたりすることができる。
このことから、不使用時には液体を噴出不能とし、使用時には液体を噴出可能とすればよい。
これにより、不使用時に誤って液体を噴出してしまうことが抑制される。
【００５０】
また、図１に示すように本実施形態に係るトリガー式の泡噴出ディスペンサ１００に用いられるノズル２０は、側面に例えば「ＯＮ」「ＯＦＦ」の文字が記載されている。
すなわち、「ＯＮ」は泡の噴出が可能である状態に対応し、「ＯＦＦ」は泡の噴出が不能である状態に対応する。
したがって、ノズル２０を回転させて泡の噴出を開閉制御する際には、上記「ＯＮ」「ＯＦＦ」の文字にあわせて調整すれば、容易に泡の噴出を開閉制御することができる。
【００５１】
なお、上記トリガー式の泡噴出ディスペンサ１００において、泡調整機構３０の切り替えによって、ノズル２０が共回りしないことが好ましい。
この場合、トリガー式の泡噴出ディスペンサの取り扱いが容易となる。
【００５２】
次に、本実施形態に係るトリガー式の泡噴出ディスペンサ１００において、本体部１０の内部構造の一例について説明する。
【００５３】
図８は、本実施形態に係るトリガー式の泡噴出ディスペンサ１００の一実施形態の内部構造を示した断面図である。
図８に示すように、本実施形態に係るトリガー式の泡噴出ディスペンサ１００は、トリガー３及びトリガー３を揺動させることにより液体を噴出可能なノズルベース１１を有する本体部１０と、ノズル穴２１を有し、ノズルベース１１に対応する位置にノズル穴２１が位置するように本体部に接続されたノズル２０と、ノズル穴２１から噴出される液体を衝突させるための周壁面３１及び周壁面３１により形成される筒状の通穴３２を有する泡調整機構３０とを備える。
【００５４】
上記本体部１０は、トリガー３と、トリガー３に接続されたシリンダ部５と、容器内に収容された液体をシリンダ部５に流入させるためのチューブ９と、シリンダ部５に収容された液体を塞き止めるための１次弁７と、シリンダ部５に収容された液体をノズルベース１１に流入させるための供給管６と、当該供給管６に配置された２次弁４と、流入された液体が噴出されるノズルベース１１と、液体が収容された容器に接続可能なキャップ部８とを備える。
【００５５】
上記シリンダ部５はピストン５ａと、ピストン５ａが嵌合されているシリンダ室５ｂとからなる。
ピストン５ａはトリガー３の上部に接続されており、トリガー３の揺動に基づいて、梃子作用により、シリンダ室５ｂ内を移動可能となっている。
これにより、シリンダ室５ｂ内の容積が変化する。
【００５６】
また、上記トリガー式の泡噴出ディスペンサ１００は、上記シリンダ室５ｂに隣接して１次弁７が設けられている。
１次弁７は弁座７ａの上に載置されており、この弁座７ａの上方には供給管６が接続され、下方には図示しない容器内から液体をシリンダ室５ｂに流通させるためのチューブ９が接続されている。
【００５７】
上記１次弁７はシリンダ室５ｂの圧力変化に基づいて開閉可能となっており、この開閉により、液体がチューブ９からシリンダ室５ｂに流通されたり、シリンダ室５ｂから供給管６に流通されたりするようになっている。
【００５８】
上記供給管６は、弁座７ａから上方に延びたのち、直角に折れ曲がった構造を有している。そして、上記供給管６の内部には２次弁４が弁座４ａの上に載置されており、前部にはノズルベース１１が形成されている。
また、上記トリガー３は、供給管６の下方に配置され、液体の噴出方向側に反って弓形の形状を有している。
【００５９】
上記本体部１０はキャップ部８を有し、キャップ部８が、液体が収容された容器に接続される。
このため、容器内の液体が無くなった場合、上記トリガー式の泡噴出ディスペンサ１００をキャップ部８で取り外し、容器内に液体を補充することができる。
また、上記トリガー式の泡噴出ディスペンサ１００を別の容器に取り付けることが可能である。
【００６０】
したがって、本体部１０にノズル２０を接続し、ノズル２０の被嵌合穴２５に泡調整機構３０の回動軸３５を接続させ、キャップ部８を容器に取り付けることで、図１に示すような上記トリガー式の泡噴出ディスペンサ１００が得られる。
【００６１】
次に、本実施形態に係るトリガー式の泡噴出ディスペンサ１００を用いて液体を噴出する作用について説明する。
【００６２】
まず、上記トリガー式の泡噴出ディスペンサ１００を所定の液体が収容された容器に取付け、トリガー３を液体の噴出方向とは反対方向に引く。
【００６３】
次いで、トリガー３を引いた状態から解放させると、ピストン５ａはトリガー３側に移動し、シリンダ室５ｂ内の圧力が減圧される。
そうすると、２次弁４が弁座４ａに着座し供給管６内の流路が閉鎖されると共に、１次弁７が開放される。
このとき、シリンダ室５ｂ内の圧力が減圧されていることから、容器内の液体がチューブ９内を流通しシリンダ室５ｂ内に充填される。
【００６４】
そして、再びトリガー３を引くと、ピストン５ａはトリガー３とは反対側に移動し、シリンダ室５ｂ内の圧力が加圧される。
そうすると、１次弁７が弁座７ａに着座しチューブ９とシリンダ室５ｂとの接続部分が閉鎖され、２次弁４が開放される。
このとき、シリンダ室５ｂ内の圧力が加圧されていることから、シリンダ室５ｂ内の液体が供給管６内を流通しノズルベース１１に到達することになる。
【００６５】
ノズルベース１１を通過した液体は、ノズル穴２１から噴出される。
上記トリガー式の泡噴出ディスペンサ１００は、泡調整機構３０を備えているため、上記液体は、上記周壁面３１ａ，３１ｂ、及び突起部２２に衝突し、泡状となる。
さらに衝突した泡は、周壁面３１ａ，３１ｂの開口から付与対象物に向けて吹付けられる。
【００６６】
そして、これらの操作を繰り返すことにより、繰り返し泡を付与することができる。
このとき、上記トリガー式の泡噴出ディスペンサ１００においては、泡調整機構３０を切り替えることにより、噴出対象物に対する泡の付与範囲を調整することができる。
【００６７】
図９の（Ａ）及び（Ｂ）は、本実施形態に係るトリガー式の泡噴出ディスペンサにおいて、液体の噴出状態を説明するための説明図である。
図９の（Ａ）及び（Ｂ）に示すように、ノズル穴２１から噴出された液体は、螺旋状に噴出され、周壁面３１ａ又は周壁面３１ｂの突起部２２側の部分Ｐに衝突される。
なお、かかる上記部分Ｐに衝突させる方法は、公知の方法に基づいて、ノズル穴２１のサイズやベース側溝１１ａ及びノズル側溝２２ａの大きさ等を調整すればよい。
【００６８】
ノズル穴２１から噴出された液体は、周壁面３１ａ，３１ｂの部分Ｐで周壁面３１ａ，３１ｂに衝突すると共に、突起部２２に設けられた図示しない切り欠き部２３から流入された空気と相俟って、泡状となる。
【００６９】
このとき、図９の（Ａ）に示すように、周壁面３１ａの噴出方向に対する長さが短い場合、周壁面３１ａに衝突した泡は、続けて噴出される液体によって、前方に押し出され、広い範囲に付与されるようになる。
一方、図９の（Ｂ）に示すように、周壁面３１ｂの噴出方向に対する長さが長い場合、周壁面３１ｂに衝突した泡は、続けて噴出される液体によって、前方に押し出されると共に、周壁面３１ｂに沿って前方にスライドすることになる。したがって、この場合は狭い範囲に付与されるようになる。
【００７０】
よって、本実施形態に係るトリガー式の泡噴出ディスペンサ１００によれば、泡状の液体を噴出できると共に、泡の付与範囲を調整することができる。
【００７１】
以上、本発明の好適な実施形態について説明したが、本発明は上記実施形態に限定されるものではない。
【００７２】
例えば、上述した実施形態に係るトリガー式の泡噴出ディスペンサ１００においては、泡調整機構３０が２つの通穴３２ａ，３２ｂを有しているものを用いているが、通穴の数は２つに限定されない。
また、上記通穴３２ａ，３２ｂは円形となっているが、複数の通穴が略同じ大きさ、形状の断面となっていれば、楕円形等であってもよい。
さらに、上記通穴３２ａ，３２ｂは内部に所定形状の仕切りを有していてもよい。
【００７３】
上述した実施形態に係るトリガー式の泡噴出ディスペンサ１００においては、泡調整機構３０は、泡調整機構３０の回動軸３５をノズル２０の被嵌合穴２５に嵌合させることにより接続しているが、接続方法はこれに限定されない。
また、泡調整機構３０は指当て部３３を有しているが、必ずしも指当て部３３を有していなくてもよい。
【００７４】
上述した実施形態に係るトリガー式の泡噴出ディスペンサ１００においては、ノズル２０の回転により液体の噴出を開閉制御しているが、ノズル２０が回転せず、別のノズルストッパー等により液体の噴出を開閉制御するものであってもよい。
【００７５】
上記実施形態に係るトリガー式の泡噴出ディスペンサ１００における本体部１０は上述した構造に限定されず、噴出形態がスポイド式等であってもよい。
なお、本発明の泡噴出ディスペンサはトリガー式以外であっても採用可能である。
【図面の簡単な説明】
【００７６】
【図１】図１は、本発明のトリガー式の泡噴出ディスペンサの一実施形態を示した斜視図である。
【図２】図２は、本発明のトリガー式の泡噴出ディスペンサの一実施形態を示した正面図である。
【図３】図３は、本発明のトリガー式の泡噴出ディスペンサの一実施形態を示した側面図である。
【図４】図４の（Ａ）は、本発明のトリガー式の泡噴出ディスペンサに用いられる泡調整機構の一実施形態を示した斜視図であり、図４の（Ｂ）は、本発明のトリガー式の泡噴出ディスペンサに用いられる泡調整機構の一実施形態を示した図である。
【図５】図５の（Ａ）は、本発明のトリガー式の泡噴出ディスペンサにおける泡調整機構の一実施形態を示した斜視図であり、図５の（Ｂ）は、本発明のトリガー式の泡噴出ディスペンサにおける泡調整機構の他の実施形態を示した斜視図である。
【図６】図６は、本発明のトリガー式の泡噴出ディスペンサに用いられるノズルの一実施形態を示した正面図である。
【図７】図７の（Ａ）及び（Ｂ）は、本発明のトリガー式の泡噴出ディスペンサにおいて、液体の噴出の開閉制御について説明するための説明図である。
【図８】図８は、本実施形態に係るトリガー式の泡噴出ディスペンサ１００の一実施形態の内部構造を示した断面図である。
【図９】図９の（Ａ）及び（Ｂ）は、本実施形態に係るトリガー式の泡噴出ディスペンサにおいて、液体の噴出状態を説明するための説明図である。
【符号の説明】
【００７７】
３・・・トリガー
４・・・２次弁
５・・・シリンダ部
５ａ・・・ピストン
５ｂ・・・シリンダ室
６・・・供給管
７・・・１次弁
４ａ，７ａ・・・弁座
８・・・キャップ部
９・・・チューブ
１０・・・本体部
１１・・・ノズルベース
１１ａ・・・ベース側溝
２０・・・ノズル
２１・・・ノズル穴
２２・・・突起部
２２ａ・・・ノズル側溝
２３・・・切り欠き部
２５・・・被嵌合穴
２６・・・被係合部
２７・・・基体
３０・・・泡調整機構
３１，３１ａ，３１ｂ・・・周壁面
３２，３２ａ，３２ｂ・・・通穴
３３・・・指当て部
３４・・・係合部
３５・・・回動軸
３８・・・ベース部
１００・・・トリガー式の泡噴出ディスペンサ
Ｆ・・・指
Ｐ・・・部分
【図１】
2007289870.tif 000003
【図２】
2007289870.tif 000004
【図３】
2007289870.tif 000005
【図４】
2007289870.tif 000006
【図５】
2007289870.tif 000007
【図６】
2007289870.tif 000008
【図７】
2007289870.tif 000009
【図８】
2007289870.tif 000010
【図９】
2007289870.tif 000011